(57)【要約】【課題】  １Ａの電流にはどれ位の電気の光子が流れているか。万有引力はどれ位の磁気の光子が束になっているか。【解決手段】  自由電子のラブ１個から１０８個の電気の光子ができる。原子の１個の電子のラブは１．６３３７６×１０−３１Ｊの磁気の光子を１ｍ間に放出する。これは磁気の光子が束になってできるエネルギーである。１ｍ間にできる磁気の光子の輪の数から、１個の磁気の光子の輪のエネルギーを求める。放出する電磁気の軌道をａｍとすると、ａｍの中にどれだけの電気の光子の輪が存在するか。どれだけの磁気の光子の輪が存在するかを求める。これが電気の光子の束であり、磁気の光子の束である。どうして電磁気はこの束で放出するか。それは、電子のラブは宇宙の軌道エネルギーに合ったエネルギーを放出しているからです。この事から、宇宙における万有引力係数を求める事ができる。【選択図】  図４
2005269887.tif 000002
【特許請求の範囲】
【請求項１】
導線の中で、自由電子のラブは何によって電流と磁気を作るか。導線の中で、自由電子のラブは走って電気の光子を作る。導線の中で、自由電子のラブは走っている。これにより電気の光子を作る。自由電子のラブが走る反対方向に電気の光子は走る。電子の光子は電流と成る。導線の中で、自由電子のラブは自転し、これにより磁気の光子の輪を作る。自由電子のラブの自転の反対方向に磁気の光子は回転する。磁気の光子の輪は導線の外に放出し、力になる。
【請求項２】
電子のラブが走ってどれ位の電気の光子を作るか。電子のラブ１個から１０８個の電気の光子を作る。
【請求項３】
電気の光子１個のエネルギーはどれ位か。電気の光子１個のエネルギーは電子のラブのエネルギーの１０−８倍であるから、８×１０−１４Ｊ×１０−８＝８×１０−２２Ｊ  です。
【請求項４】
ラブの軌道エネルギーの式及び電気の光子の軌道エネルギーの式及び磁気の光子の軌道エネルギーの式はどのようであるか。本発明者はラブの軌道エネルギーと電気の光子の軌道エネルギーを同じに考え、原子の軌道エネルギーとしてきた。原子の軌道エネルギー＝０．７５×１０−２５Ｊ・ｍ÷軌道又はエネルギー  としてきた。しかしこれは誤りです。ラブの軌道エネルギーは電気の光子の軌道エネルギーの１０８倍です。電気の光子の軌道エネルギーは磁気の光子の軌道エネルギーの１０８倍です。ラブの軌道エネルギーの式は、１０−２５Ｊ・ｍ÷軌道又はエネルギー  です。電気の光子の軌道エネルギーの式は、１０−３３Ｊ・ｍ÷軌道又はエネルギー  です。磁気の光子の軌道エネルギーの式は、１０−４１Ｊ・ｍ÷軌道又はエネルギー  です。
【請求項５】
１Ａの導線の中でできる電気の光子の数はどれ位か。そのエネルギーはどれ位か。１Ａの導線には、１．１８５８７５×１０１８個の自由電子のラブが走っているので、電気の光子の数はその１０８倍ですから、１．１８５８７５×１０１８×１０８＝１．１８５８７５×１０２６  個です。そのエネルギーは、１．１８５８７５×１０２６個×８×１０−２２Ｊ＝９．４８７×１０４Ｊ  です。
【請求項６】
１Ａの導線１ｍで、１個の自由電子のラブが作る磁気の光子のエネルギーはどれ位か。（１０−７）１／２Ｎ・ｍ＝３．１６×１０−４Ｊこれは１．１８５８７５×１０１８個の自由電子のラブによって作られる。自由電子のラブ１個で作る磁気の光子のエネルギーは、３．１６×１０−４Ｊ÷（１．１８５８７５×１０１８個）＝２．６６５×１０−２２Ｊ  です。
【請求項７】
自由電子のラブ１個から放出する磁気の光子の輪の数どれ位か。自由電子のラブ１個から放出する電気の光子の数は１０８です。それで、磁気の光子の輪の数は電気の光子の１０８倍で、１０１６個です。
【請求項８】
１個の磁気の光子の輪のエネルギーはどれだけか。磁気の光子の輪１個のエネルギーは２．６６５×１０−２２Ｊですから、１個の磁気の光子のエネルギーは、２．６６５×１０−２２Ｊ÷１０１６個＝２．６６５×１０−３８Ｊ  です。この磁気の光子の輪のエネルギーが力になる。
【請求項９】
左右の導線の電流が同じ方向の場合には引力になり、逆方向の場合は反発力になるのはどうしてか。▲１▼電子のラブが自転することによって、磁気の光子ができる。電子のラブが公転する事によって、磁気の光子ができる。電気の光子の回転方向は、電子のラブの公転方向と反対方向である。磁気の光子の回転は、電気の光子の輪をクロス回転する。▲２▼導線の中を電子のラブが走る時、電子のラブは自転し、磁気の光子を作る。磁気の光子の輪は電子のラブの進行方向に垂直にでき右回転する。導線の中を電子のラブが走る時、１個の電子のラブから１０８個の電気の光子ができる。電気の光子は電子のラブと反対方向に走る。▲３▼左の導線と右の導線の電子のラブが同じ方向に走ると、左の導線の磁気の光子と右の導線の磁気の光子は同じ方向に回転する。▲４▼それで、左の導線から放出する磁気の光子と、右の導線から放出する磁気の光子は一緒になって回転する。▲５▼この一緒になる作用が引く力になる▲６▼左の導線と右の導線の電子のラブが逆方向に走る場合は、磁気の光子の回転方向が反対方向ので、力は反対方向に作用する。磁気の光子の輪の数が多いほど引く力は大きくなる。磁気の光子の輪の数が多くなるほど押しのける力は大きくなる。
【請求項１０】
物質の原子の中で、電子のラブの自転の軌道はどれくらいか。電子のラブの自転の軌道は、１０−４１Ｊ・ｍ÷（８×１０−１４Ｊ）＝１．２５×１０−２８ｍ  です。
【請求項１１】
物質の原子の中で、電子のラブは１秒間に何回自転し、何個の磁気の光子の輪を作り放出するか。原子の中の速度を秒速３×１０７ｍとする。３×１０７ｍ÷（３．１４×１．２５×１０−２８ｍ）＝７．６４３×１０３４  回自転する。１秒間に７．６４３×１０３４回自転し、７．６４３×１０３４個の磁気の光子の輪を作り放出する。これが万有引力になっている。
【請求項１２】
万有引力は何によって、どのようにしてできるか。万有引力は磁気の光子によってできる。同じ方向に回転する磁気の光子の間に引力が生じる。それは(請求項８)に記した。▲１▼電子のラブの回転方向は地球の自転の方向であるから、全ての物質の原子の電子のラブは地球の自転方向に回転する。▲２▼それで、電気の光子は地球の自転の反対方向に回転する。▲３▼電子のラブの自転方向は内側から上に向かい外側に縦回転する。磁気の光子はその反対方向に回転する。▲４▼磁気の光子は電気の光子の輪に上から入り込みクロス回転する。物質からこの電気の光子と磁気の光子が電磁気になって放出する。▲５▼それで、電磁気として放出した時、全ての電気の光子は地球の自転の反対方向に回転し、全ての磁気の光子は電気の光子の輪に上からクロス回転する。▲６▼全ての磁気の光子の回転方向は同じである。▲７▼よって、同じ方向に回転する磁気の光子の間に引力が生じる。これが万有引力である。
【請求項１３】
物質の１原子から放出する磁気の光子の輪のエネルギーはどれ位か。万有引力は１Ｋｇと１Ｋｇの間１ｍで、６．６７３×１０−１１Ｎであるから、１Ｋｇ・１ｍでは、（６．６７３×１０−１１）１／２Ｎ＝８．１６８８×１０−６Ｎ  です。１Ｋｇで８．１６８８×１０−６Ｊの磁気の光子です。１Ｋｇは５×１０２５個の原子ですから、１原子から放出する磁気の光子の輪のエネルギーは、８．１６８８×１０−６Ｊ÷（５×１０２５個）＝１．６３３７６×１０−３１Ｊ  です。
【請求項１４】
１原子から放出する磁気の光子の輪は、１ｍでは何個の輪か。１秒間に７．６４３×１０３４個の輪ができるのであるから、１ｍに存在する磁気の光子の輪は、７．６４３×１０３４個÷（３×１０８ｍ）＝２．５４７７×１０２６個の輪です。
【請求項１５】
１個の磁気の光子の輪のエネルギーはどれ位か。１原子から放出する磁気の光子のエネルギーは１ｍ間のエネルギーで、２．５４７７×１０２６個の磁気の光子の輪のエネルギーですから、１個の磁気の光子の輪のエネルギーは、１．６３３７６×１０−３１Ｊ÷（２．５４７７×１０２６個）＝６．４１２７×１０−５８Ｊ  です。６．４×１０−５８Ｊの磁気の光子の輪が放出し万有引力になっている。
【請求項１６】
物質の原子の中で、電子のラブの公転の軌道はどれくらいか。電子のラブの公転の軌道は、１０−２５Ｊ・ｍ÷（８×１０−１４Ｊ）＝１．２５×１０−１２ｍ  です。
【請求項１７】
原子の中で、電子のラブは１秒間に何回公転し、何個の電気の光子の輪を作り放出するか。原子の中の速度を秒速３×１０７ｍとする。３×１０７ｍ÷（３．１４×１．２５×１０−１２ｍ）＝７．６４３×１０１８  回公転する。電子のラブ１個から１０８個の電気の光子が放出するので、電気の光子の輪は、１０８×７．６４３×１０１８＝７．６４３×１０２６個の電気の光子の輪を作り放出する。電子のラブは１秒間に７．６４３×１０１８回公転し、７．６４３×１０２６個の電気の光子の輪を作り放出する。
【請求項１８】
１原子から放出する電気の光子の輪は、１ｍでは何個の輪か。１秒間に７．６４３×１０２６個の輪ができるのであるから、１ｍに存在する電気の光子の輪は、７．６４３×１０２６個÷（３×１０８ｍ）＝２．５４×１０１８個の輪です。
【請求項１９】
１個の電気の光子の輪のエネルギーはどれ位か。磁気の光子の輪のエネルギーは６．４１２７×１０−５８Ｊです。電気の光子のエネルギーは磁気の光子のエネルギーの１０８倍ですから、１０８×６．４×１０−５８Ｊ＝６．４×１０−５０Ｊです。
【請求項２０】
電気の光子の輪１個に磁気の光子の輪が１０８個がクロス回転して、１組の電磁気に成ります。１組の電磁気の軌道はどれくらいか。１秒間に７．６４３×１０２６個の電気の光子の輪ができますから、７．６４３×１０２６個の電気の光子の輪で３×１０８ｍですから、１個の電気の光子の輪の軌道は、３×１０８ｍ÷（７．６４３×１０２６個）＝３．９２５×１０−１９ｍ  です。電磁気の軌道は電気の光子の輪＋磁気の光子の輪です。電気の光子の輪と磁気の光子の輪は同じ大きさで電磁気と成って放出します。これで１組の電磁気の光子の軌道は、２×３．９２５×１０−１９ｍ＝７．８５×１０−１９ｍ  です。
【請求項２１】
電磁気１組の軌道が２×１０−６ｍとすると、電気の光子の輪と磁気の光子の輪はいくら存在するか。電気の光子の輪の軌道は３．９２５×１０−１９ｍですから、２×１０−６ｍに、電気の光子の輪は、２×１０−６ｍ÷（３．９２５×１０−１９ｍ）＝５．１×１０１２個存在する。磁気の光子の輪は、この１０８倍で、５．１×１０２０個存在する。
【請求項２２】
電磁気１組の軌道が２×１０−６ｍの場合、電気の光子の輪１束のエネルギーと、磁気の光子の輪１束のエネルギーと電磁気１組のエネルギーはどれ程か。電気の光子の輪１束のエネルギー＝電気の光子の輪の数×電気の光子の輪１個のエネルギー＝５．１×１０１２個×６．４×１０−５０Ｊ＝３．２６４×１０−３７Ｊ。磁気の光子の輪１束のエネルギー＝磁気の光子の輪の数×磁気の光子の輪１個のエネルギー＝５．１×１０２０個×６．４×１０−５８Ｊ＝３．２６４×１０−３７Ｊ。電磁気１組のエネルギー＝３．２６４×１０−３７Ｊ＋３．２６４×１０−３７Ｊ＝６．５２８×１０−３７Ｊ。
【請求項２３】
物質から放出する磁気の光子の輪の束の軌道エネルギーの式と、電気の光子の輪の束の軌道エネルギーの式と、電磁気の軌道エネルギーの式はどのようであるか。磁気の光子の輪の束の軌道が１０−６ｍで、エネルギーは３．２６４×１０−３７Ｊですから、物質から放出する磁気の光子の輪の束の軌道エネルギー＝１０−６×３．２６４×１０−３７Ｊ・ｍ÷軌道又はエネルギー＝３．２６４×１０−４３Ｊ・ｍ÷軌道又はエネルギー。この磁気の光子のエネルギーが万有引力に成る。物質から放出する電気の光子の輪の束の軌道エネルギー＝３．２６４×１０−４８Ｊ・ｍ÷軌道又はエネルギー。電磁気の軌道が２×１０−６ｍで、エネルギーは６．５２８×１０−３７Ｊですから、物質から放出する電磁気の軌道エネルギー＝２×１０−６ｍ×６．５２８×１０−３７Ｊ÷軌道又はエネルギー＝１．３×１０−４２Ｊ・ｍ÷軌道又はエネルギー。
【請求項２４】
夜行性の動物は物質から放出されるどれ位の電磁気を受けるか。物質から放出される電磁気の軌道を５×１０−７ｍとする。５×１０−７ｍの電磁気のエネルギーは、１．３×１０−４２Ｊ・ｍ÷（５×１０−７ｍ）＝２．６×１０−３６Ｊ  です。物質から放出する電磁気の軌道を５×１０−７ｍとすると、夜行性の動物は２．６×１０−３６Ｊの電磁気を目に受ける。
【請求項２５】
物質から放出する磁気の光子の輪の束の軌道エネルギーの式が  ３．２６４×１０−４３Ｊ・ｍ÷軌道又はエネルギーであり、電気の光子の輪の束の軌道エネルギーの式が３．２６４×１０−４３Ｊ・ｍ÷軌道又はエネルギーであり、電磁気の輪の束の軌道エネルギーの式が１．３×１０−４２Ｊ・ｍ÷軌道又はエネルギーである。この事は何を意味するのか。本発明者は特願２００４−２４７５７４において、Ｋ＝１．１２×１０９ｍであると考えた。宇宙が走った距離について、本発明者は特願２００４−２０２４９６と２００４−２４７５７４に記した。ビッグバンから現代まで、宇宙の物質（＝素粒子）は、２．７３９２×１０２５ｍ走り続けている。それで、エネルギーは、５Ｋで１／１０になるから、５×１．１２×１０９ｍ＝５．６×１０９ｍで１／１０に減少する。ビッグバンから今までどれ程減少したか。２．７３９２×１０２５ｍ÷（５．６×１０９ｍ）＝４．８９×１０１５  １÷（４．８９×１０１５×１０）＝２×１０−１７倍に減少している。ビッグバンの軌道エネルギーはラブの軌道エネルギーであるから、１０−２５Ｊ÷軌道又はエネルギーです。現在の軌道エネルギーはビッグバンのエネルギーの２×１０−１７倍であるから、２×１０−１７×１０−２５Ｊ・ｍ÷軌道又はエネルギー＝２×１０−４２Ｊ・ｍ÷軌道又はエネルギー  です。現在、物質から放出する磁気の光子の輪の束の軌道エネルギーの式が、３．２６４×１０−４３Ｊ・ｍ÷軌道又はエネルギー  であり、電気の光子の輪の束の軌道エネルギーの式が、３．２６４×１０−４３Ｊ・ｍ÷軌道又はエネルギー  であり、電磁気の輪の束の軌道エネルギーの式が、１．３×１０−４２Ｊ・ｍ÷軌道又はエネルギー  である。これらのエネルギーはビッグバンのエネルギーの何倍か。磁気の光子の輪の束のエネルギーと、電気の光子の輪の束のエネルギーは、３．２６４×１０−４３Ｊ・ｍ÷１０−２５Ｊ・ｍ＝３．２６４×１０−１８倍です。電磁気の束のエネルギーは、１．３×１０−４２Ｊ・ｍ÷１０−２５Ｊ・ｍ＝１．３×１０−１７  倍です。この値は、本発明者がＫ＝１．１２×１０９ｍとして計算した、ビッグバンから今までエネルギーは２×１０−１７倍に減少している値とやや同じ値である。よって、物質から放出されている電磁気のエネルギーは、宇宙に於ける現在の時空のエネルギーである。万有引力は物質から放出されている磁気の光子のエネルギーであり、それは束になって放出されている。その束のエネルギーは宇宙に於ける現在の時空のエネルギーである。電子のラブから放出される電磁気の束のエネルギーは、宇宙の軌道が拡大するにしたがって減少している。
【請求項２６】
宇宙に於ける万有引力はどのようであるか。宇宙に於ける磁気の光子の輪の束の軌道エネルギーの式はどのようであるか。磁気の光子の輪の束の軌道エネルギーを“万有引力の軌道エネルギー”と名づける。地球に於ける引力の軌道エネルギーは、３．２６４×１０−４３Ｊ・ｍ÷軌道又はエネルギー  です。宇宙の軌道が小さいとき、電子のラブから放出される磁気の光子の輪の束のエネルギーは大きい。それで、万有引力も大きい。万有引力は素粒子が走った距離によって異なる。例えば、走った年数が１年の場合、走った距離は９．４６×１０１５ｍです。それで、エネルギーは地球のエネルギーの、９．４６×１０１５ｍ÷（５×１．１２×１０９ｍ）×１０＝１．６９×１０７倍です。それで、万有引力の軌道エネルギーは、３．２６４×１０−４３Ｊ・ｍ×１．６９×１０７÷軌道又はエネルギー＝５．５１６×１０−３６Ｊ・ｍ÷軌道又はエネルギー  です。宇宙の万有引力の軌道エネルギーを求める式は、現在の万有引力の式×走った距離÷（５×Ｋ）×１０＝３．２６４×１０−４３Ｊ・ｍ÷軌道又はエネルギー×走った距離÷（５×１．１２×１０９ｍ）×１０＝５．８２９×１０−５２×走った距離÷軌道又はエネルギー  です。１４０億年から１５０億年走ると、その距離は２．７３９２×１０２５ｍであるから、１４０億年から１５０億年前の時空の万有引力の軌道エネルギーの式は、３．２６４×１０−４３Ｊ・ｍ÷軌道又はエネルギー×２．７３９２×１０２５ｍ÷（５．６×１０９ｍ）×１０＝１．５９７×１０−２６Ｊ・ｍ÷軌道又はエネルギー  です。
【請求項２７】
宇宙に於ける万有引力の定数はどれ位か。宇宙において、５×１０２５個の原子でできる磁気の光子のエネルギーはどれ位か。万有引力定数は１Ｋｇで１ｍ間にできる磁気の光子のエネルギーの２乗ですから、まず１Ｋｇで１ｍにできる磁気の光子のエネルギーを求めます。例えば、１年走った場合、走った距離は９．４６×１０１５ｍですから、この時空のエネルギーは地球のエネルギーの、９．４６×１０１５ｍ÷（５．６×１０９ｍ）×１０＝１．６８９×１０７倍です。地球では、１Ｋｇで１ｍ間にできる磁気の光子のエネルギーは（６．６７３×１０−１１）１／２Ｊ＝８．１６８８×１０−６Ｊですから、地球から１光年の軌道の磁気の光子のエネルギーは、１．６８９×１０７倍×８．１６８８×１０−６Ｊ＝１．３７９×１０２Ｊ  です。万有引力定数はこの２乗ですから、（１．３７９×１０２）２＝１．９×１０４Ｎ・ｍ２／Ｋｇ２  です。宇宙における１ｋｇ（＝５×１０２５個の原子）から放出する磁気の光子１ｍ間のエネルギーは、走った距離÷（５×Ｋ）×１０×８．１６８８×１０−６Ｊ＝走った距離÷（５×１．１２×１０９ｍ）×１０×８．１６８８×１０−６Ｊ＝走った距離×１．４５８７５×１０−１４Ｊ  です。万有引力定数は、（走った距離×１．４５８７５×１０−１４）２  Ｎ・ｍ２／Ｋｇ２です。１４０億年から１５０億年前の時空の磁気の光子のエネルギーは、２．７３９２×１０２５ｍ×１．４５８７５×１０−１４Ｊ＝４×１０１１Ｊ  です。万有引力定数は、（４×１０１１）２＝１．６×１０２３  Ｎ・ｍ２／Ｋｇ２です。
【発明の詳細な説明】
【技術分野】
【０００１】  この発明は導線の中を自由電子が走る事によって電流と力ができる事に関する。万有引力に関する。万有引力がどのようにできるかに関する。宇宙の万有引力係数に関する。
【背景技術】
【０００２】  従来、導線の中の電流は何によって、どのようにできるのか。導線の周囲の力はどのようにできるのか。物質の質量でできる万有引力は原子の何によって、どのようにできるのか詳しく解明されていない。宇宙における万有引力係数については解明されていない。
【本発明が解決しようとする課題】
１．導線の中で、自由電子のラブは何によって電流と磁気を作るか。２．電子のラブが走ってどれ位の電気の光子を作るか。３．電気の光子１個のエネルギーはどれ位か。４．ラブの軌道エネルギーの式及び電気の光子の軌道エネルギーの式及び磁気の光子の軌道エネルギーの式はどのようであるか。５．１Ａの導線の中でできる電気の光子の数はどれ位か。そのエネルギーはどれ位か。６．１Ａの導線１ｍで、１個の自由電子のラブが作る磁気の光子のエネルギーはどれ位か。７．自由電子のラブ１個から放出する磁気の光子の輪の数どれ位か。８．１個の磁気の光子の輪のエネルギーはどれだけか。９．左右の導線の電流が同じ方向に走る場合は引力になり、逆方向の場合は反発力になるのはどうしてか。１０．  物質の原子の中で、電子のラブの自転の軌道はどれくらいか。１１．  物質の原子の中で、電子のラブは１秒間に何回自転し、何個の磁気の光子の輪を作り放出するか。１２．  万有引力は物質の何によって、どのようにできるか。１３．  物質の１原子から放出する磁気の光子の輪のエネルギーはどれ位か。１４．  １原子から放出する磁気の光子の輪は、１ｍでは何個の輪か。１５．  １個の磁気の光子の輪のエネルギーはどれ位か。１６．  物質の原子の中で、電子のラブの公転の軌道はどれくらいか。１７．  原子の中で、電子のラブは１秒間に何回公転し、何個の電気の光子の輪を作り放出するか。１８．  １原子から放出する電気の光子の輪は、１ｍでは何個の輪か。１９．  １個の電気の光子の輪のエネルギーはどれ位か。２０．  電気の光子の輪１個に磁気の光子の輪が１０８個がクロス回転して、１組の電磁気に成ります。１組の電磁気の軌道はどれくらいか。２１．  電磁気１組の軌道が２×１０−６ｍとすると、電気の光子の輪と磁気の光子の輪はいくら存在するか。２２．  電磁気１組の軌道が２×１０−６ｍの場合、電気の光子の輪１束のエネルギーと、磁気の光子の輪１束のエネルギーと電磁気１組のエネルギーはどれ程か。２３．  物質から放出する磁気の光子の輪の束の軌道エネルギーの式と、電気の光子の輪の束の軌道エネルギーの式と、電磁気の軌道エネルギーの式はどのようであるか。２４．  夜行性の動物は物質から放出されるどれ位の電磁気を受けるか。２５．  物質から放出する磁気の光子の輪の束の軌道エネルギーの式が  ３．２６４×１０−４３Ｊ・ｍ÷軌道又はエネルギーであり、電気の光子の輪の束の軌道エネルギーの式が３．２６４×１０−４３Ｊ・ｍ÷軌道又はエネルギーであり、電磁気の輪の束の軌道エネルギーの式が  １．３×１０−４２Ｊ・ｍ÷軌道又はエネルギーである。この事は何を意味するのか。２６．  宇宙に於ける引力はどのようであるか。宇宙に於ける磁気の光子の輪の束の軌道エネルギーの式はどのようであるか。２７．  宇宙に於ける万有引力の定数はどれ位か。宇宙において、５×１０２５個の原子でできる磁気の光子のエネルギーはどれ位か。
【課題を解決するための手段】
【０００４】これらの問題は、電子のラブが自転し、力と成る磁気の光子を作り、電子のラブが公転し（導線の場合は走って）、電気の光子を作っている事によって解決する。前回２００４年９月２９日に提出した特願２００４−３１３０９８で、訂正することがある。１つは、電気の光子のエネルギーである。電子の光子のエネルギーを原子の軌道エネルギーとしていたがこれは誤りである。電子の光子の軌道エネルギーは磁気の光子の軌道エネルギーの１０８倍である。それで、電子の光子の軌道エネルギー＝１０−３３Ｊ・ｍ÷軌道又はエネルギー  である。２つは、原子の軌道エネルギーと磁気の光子の軌道エネルギーである。原子の軌道エネルギーはラブの軌道エネルギーであり、ラブの軌道エネルギー＝１０−２５Ｊ・ｍ÷軌道又はエネルギー  とする。磁気の光子の軌道エネルギー＝１０−４１Ｊ・ｍ÷軌道又はエネルギー  とする。より簡潔な軌道エネルギーとする。３つは、  導線の中で、電子のラブは公転し、１個の電子のラブから１０８個の電気の光子を作っている。この電気の光子は電流となる。４つは、１Ａの導線１ｍと１Ａの導線１ｍの間１ｍ間にできる力を２×１０−７Ｎとして計算したが、これを１０−７Ｎとする。万有引力は物質を構成する原子の中で電子のラブが自転してできる磁気の光子のはたらきである。万有引力の力の大きさは磁気の光子のエネルギーである。１原子で１つの電子のラブがあり、電子のラブの自転によって、１．６３３７６×１０−３１Ｊの磁気の光子ができる。この磁気の光子は１ｍ間の磁気の光子のエネルギーである。物質を構成する原子の電子のラブは、１秒間に７．６４３×１０３４回自転し、７．６４３×１０３４個の磁気の光子の輪を作っている。１ｍ間には２．５４７７×１０２６個の磁気の光子の輪がある。これらの磁気の光子の輪のエネルギーが１．６３３７６×１０−３１Ｊである。それで、磁気の光子の輪１個のエネルギーは６．４１２７×１０−５８Ｊである。これらの磁気の光子は電磁気として放出する。電気の光子１個に対し、磁気の光子は１０８個がクロス回転して、１組の電磁気になっている。電子のラブは１秒間に７．６４３×１０１８回公転し、７．６４３×１０２６個の電気の光子の輪を作り放出する。１ｍ間に２．５４×１０１８個の電気の光子の輪がある。１個の電気の光子の輪の幅は、３．９２５×１０−１９ｍである。それで、いくつかの電気の光子の輪は束になって放出している。例えば、放出する電磁気の軌道が２×１０−６ｍとすると、その中に電気の光子の輪は５．１×１０１２個存在し、磁気の光子の輪は５．１×１０２０個存在する。これらが束になって、２×１０６ｍの電磁気として放出する。万有引力を作っているのはこの中の磁気の光子である。物質の原子から放出する電磁気のエネルギーは宇宙における軌道のエネルギーである。宇宙が小さかった時、原子から放出する電磁気のエネルギーは大きかった。そして引力も大きかった。宇宙が走った距離によって、宇宙の万有引力係数を求める事ができる。
【発明の実施態様】
【０００５】１．導線の中で、自由電子のラブは何によって電流と磁気を作るか。導線の中で、自由電子のラブは走って電気の光子を作る。導線の中で、自由電子のラブは走っている。これにより電気の光子を作る。自由電子のラブが走る方向の反対方向に電気の光子は走る。電気の光子は電流と成る。導線の中で、自由電子のラブは自転し、これにより磁気の光子の輪を作る。自由電子のラブの自転方向の反対方向に磁気の光子は回転する。磁気の光子の輪は導線の外に放出し、力になる。２．電子のラブが走ってどれ位の電気の光子を作るか。電子のラブ１個から１０８個の電気の光子を作る。３．電気の光子１個のエネルギーはどれ位か。電気の光子１個のエネルギーは電子のラブのエネルギーの１０−８倍であるから、８×１０−１４Ｊ×１０−８＝８×１０−２２Ｊ  です。４．ラブの軌道エネルギーの式及び電気の光子の軌道エネルギーの式及び磁気の光子の軌道エネルギーの式はどのようであるか。本発明者はラブの軌道エネルギーと電気の光子の軌道エネルギーを同じに考え、原子の軌道エネルギーとしてきた。原子の軌道エネルギー＝０．７５×１０−２５Ｊ・ｍ÷軌道又はエネルギー  としてきた。しかしこれは誤りです。ラブの軌道エネルギーは電気の光子の軌道エネルギーの１０８倍です。電気の光子の軌道エネルギーは磁気の光子の軌道エネルギーの１０８倍です。それで、ラブの軌道エネルギーの式は、１０−２５Ｊ・ｍ÷軌道又はエネルギー  です。電気の光子の軌道エネルギーの式は、１０−３３Ｊ・ｍ÷軌道又はエネルギー  です。磁気の光子の軌道エネルギーの式は、１０−４１Ｊ・ｍ÷軌道又はエネルギー  です。５．１Ａの導線の中でできる電気の光子の数はどれ位か。そのエネルギーはどれ位か。１Ａの導線には、１．１８５８７５×１０１８個の自由電子のラブが走っているので、電気の光子の数はその１０８倍ですから、１．１８５８７５×１０１８×１０８＝１．１８５８７５×１０２６  個です。そのエネルギーは、１．１８５８７５×１０２６個×８×１０−２２Ｊ＝９．４８７×１０４Ｊ  です。６．１Ａの導線１ｍで、１個の自由電子のラブが作る磁気の光子のエネルギーはどれ位か。（１０−７）１／２Ｎ・ｍ＝３．１６×１０−４Ｊこれは１．１８５８７５×１０１８個の自由電子のラブによって作られる。自由電子のラブ１個で作る磁気の光子のエネルギーは、３．１６×１０−４Ｊ÷（１．１８５８７５×１０１８個）＝２．６６５×１０−２２Ｊ  です。７．自由電子のラブ１個から放出する磁気の光子の輪の数どれ位か。自由電子のラブ１個から放出する電気の光子の数は１０８個です。それで、磁気の光子の輪の数は電気の光子の１０８倍で、１０１６個です。８．１個の磁気の光子の輪のエネルギーはどれだけか。自由電子のラブ１個からできる磁気の光子のエネルギーは２．６６５×１０−２２Ｊですから、１個の磁気の光子のエネルギーは、２．６６５×１０−２２Ｊ÷１０１６個＝２．６６５×１０−３８Ｊ  です。この磁気の光子の輪のエネルギーが力になる。８．左右の導線の電流が同じ方向に走る場合には引力になり、逆方向の場合は反発力になるのはどうしてか。（図１〜図５）▲１▼電子のラブが自転することによって、磁気の光子ができる。電子のラブが公転��る事によって、磁気の光子ができる。電気の光子の回転方向は、電子のラブの公転方向と反対方向である。磁気の光子の回転は、電気の光子の輪をクロス回転する。▲２▼導線の中を電子のラブが走る時、電子のラブは自転し、磁気の光子を作る。磁気の光子の輪は電子のラブの進行方向に垂直にでき右回転する。導線の中を電子のラブが走る時、１個の電子のラブから１０８個の電気の光子ができる。電気の光子は電子のラブと反対方向に走る。▲３▼左の導線と右の導線の電子のラブが同じ方向に走ると、左の導線の磁気の光子と右の導線の磁気の光子は同じ方向に回転する。▲４▼それで、左の導線から放出する磁気の光子と、右の導線から放出する磁気の光子は一緒になって回転する。▲５▼この一緒になる作用が引く力になる▲６▼左の導線と右の導線の電子のラブが逆方向に走る場合は、磁気の光子の回転方向が反対方向ので、力は反対方向に作用する。磁気の光子の輪の数が多いほど引く力は大きくなる。磁気の光子の輪の数が多くなるほど押しのける力は大きくなる。１０．物質の原子の中で、電子のラブの自転の軌道はどれくらいか。電子のラブの自転の軌道は、１０−４１Ｊ・ｍ÷（８×１０−１４Ｊ）＝１．２５×１０−２８ｍ  です。１１．物質の原子の中で、電子のラブは１秒間に何回自転し、何個の磁気の光子の輪を作り放出するか。原子の中の速度を秒速３×１０７ｍとする。３×１０７ｍ÷（３．１４×１．２５×１０−２８ｍ）＝７．６４３×１０３４  回自転する。１秒間に７．６４３×１０３４回自転し、７．６４３×１０３４個の磁気の光子の輪を作り放出する。これが万有引力になっている。１２．万有引力は何によって、どのようにしてできるか。（図６と図７）万有引力は磁気の光子によってできる。同じ方向に回転する磁気の光子の間に引力が生じる。それは
【請求項８】
に記した。▲１▼電子のラブの回転方向は地球の自転の方向であるから、全ての物質の原子の電子のラブは地球の自転方向に回転する。▲２▼それで、全ての電気の光子は地球の自転の反対方向に回転する。▲３▼電子のラブの自転方向は内側から上に向かい外側に縦回転する。磁気の光子はその反対方向に回転する。▲４▼全ての磁気の光子は電気の光子の輪に対し、上から入り込みクロス回転する。物質からこの電気の光子と磁気の光子が電磁気になって放出する。▲５▼電磁気として放出した時、全ての電気の光子は地球の自転の反対方向に回転し、全ての磁気の光子は電気の光子を上からクロス回転する。▲６▼全ての磁気の光子の回転方向は同じである。▲７▼よって、同じ方向に回転する磁気の光子の間に引力が生じる。▲８▼これが万有引力である。１３．物質の１原子から放出する磁気の光子の輪のエネルギーはどれ位か。万有引力は１Ｋｇと１Ｋｇの間１ｍで、６．６７３×１０−１１Ｎであるから、１Ｋｇ・１ｍでは、（６．６７３×１０−１１）１／２Ｎ＝８．１６８８×１０−６Ｎ  です。１Ｋｇで８．１６８８×１０−６Ｊの磁気の光子です。１Ｋｇは５×１０２５個の原子ですから、１原子から放出する磁気の光子の輪のエネルギーは、８．１６８８×１０−６Ｊ÷（５×１０２５個）＝１．６３３７６×１０−３１Ｊ  です。１４．１原子から放出する磁気の光子の輪は、１ｍでは何個の輪か。１秒間に７．６４３×１０３４個の輪ができるのであるから、１ｍに存在する磁気の光子の輪は、７．６４３×１０３４個÷（３×１０８ｍ）＝２．５４７７×１０２６個の輪です。１５．１個の磁気の光子の輪のエネルギーはどれ位か。１原子から放出する磁気の光子のエネルギーは１ｍ間のエネルギーで、２．５４７７×１０２６個の磁気の光子の輪のエネルギーですから、１個の磁気の光子の輪のエネルギーは、１．６３３７６×１０−３１Ｊ÷（２．５４７７×１０２６個）＝６．４１２７×１０−５８Ｊ  です。６．４×１０−５８Ｊの磁気の光子の輪が放出し万有引力になっている。１６．物質の原子の中で、電子のラブの公転の軌道はどれくらいか。電子のラブの公転の軌道は、１０−２５Ｊ・ｍ÷（８×１０−１４Ｊ）＝１．２５×１０−１２ｍ  です。１７．原子の中で、電子のラブは１秒間に何回公転し、何個の電気の光子の輪を作り放出するか。原子の中の速度を秒速３×１０７ｍとする。３×１０７ｍ÷（３．１４×１．２５×１０−１２ｍ）＝７．６４３×１０１８  回公転する。電子のラブ１個から１０８個の電気の光子が放出するので、電気の光子の輪は、１０８×７．６４３×１０１８＝７．６４３×１０２６個の電気の光子の輪を作り放出する。電子のラブは１秒間に７．６４３×１０１８回公転し、７．６４３×１０２６個の電気の光子の輪を作り放出する。１８．１原子から放出する電気の光子の輪は、１ｍでは何個の輪か。１秒間に７．６４３×１０２６個の輪ができるのであるから、１ｍに存在する電気の光子の輪は、７．６４３×１０２６個÷（３×１０８ｍ）＝２．５４×１０１８個の輪です。１９．１個の電気の光子の輪のエネルギーはどれ位か。磁気の光子の輪のエネルギーは６．４１２７×１０−５８Ｊです。電気の光子のエネルギーは磁気の光子のエネルギーの１０８倍ですから、１０８×６．４×１０−５８Ｊ＝６．４×１０−５０Ｊです。２０．電気の光子の輪１個に磁気の光子の輪が１０８個がクロス回転して、１組の電磁気に成ります。１組の電磁気の軌道はどれくらいか。１秒間に７．６４３×１０２６個の電気の光子の輪ができますから、７．６４３×１０２６個の電気の光子の輪で３×１０８ｍですから、１個の電気の光子の輪の軌道は、３×１０８ｍ÷（７．６４３×１０２６個）＝３．９２５×１０−１９ｍ  です。電磁気の軌道は電気の光子の輪＋磁気の光子の輪です。電気の光子の輪と磁気の光子の輪は同じ大きさで電磁気と成って放出します。これで１組の電磁気の光子の軌道は、２×３．９２５×１０−１９ｍ＝７．８５×１０−１９ｍ  です。２１．電磁気１組の軌道が２×１０−６ｍとすると、電気の光子の輪と磁気の光子の輪はいくら存在するか。電気の光子の輪の軌道は３．９２５×１０−１９ｍですから、２×１０−６ｍに、電気の光子の輪は、２×１０−６ｍ÷（３．９２５×１０−１９ｍ）＝５．１×１０１２個存在する。磁気の光子の輪は、この１０８倍で、５．１×１０２０個存在する。２２．電磁気１組の軌道が２×１０−６ｍの場合、電気の光子の輪１束のエネルギーと、磁気の光子の輪１束のエネルギーと電磁気１組のエネルギーはどれ程か。電気の光子の輪１束のエネルギー＝電気の光子の輪の数×電気の光子の輪１個のエネルギー＝５．１×１０１２個×６．４×１０−５０Ｊ＝３．２６４×１０−３７Ｊ。磁気の光子の輪１束のエネルギー＝磁気の光子の輪の数×磁気の光子の輪１個のエネルギー＝５．１×１０２０個×６．４×１０−５８Ｊ＝３．２６４×１０−３７Ｊ。電磁気１組のエネルギー＝３．２６４×１０−３７Ｊ＋３．２６４×１０−３７Ｊ＝６．５２８×１０−３７Ｊ。２３．物質から放出する磁気の光子の輪の束の軌道エネルギーの式と、電気の光子の輪の束の軌道エネルギーの式と、電磁気の軌道エネルギーの式はどのようであるか。磁気の光子の輪の束の軌道が１０−６ｍで、エネルギーは３．２６４×１０−３７Ｊですから、物質から放出する磁気の光子の輪の束の軌道エネルギー＝１０−６×３．２６４×１０−３７Ｊ・ｍ÷軌道又はエネルギー＝３．２６４×１０−４３Ｊ・ｍ÷軌道又はエネルギー。この磁気の光子のエネルギーが万有引力に成る。物質から放出する電気の光子の輪の束の軌道エネルギー＝３．２６４×１０−４３Ｊ・ｍ÷軌道又はエネルギー。電磁気の軌道が２×１０−６ｍで、エネルギーは６．５２８×１０−３７Ｊですから、物質から放出する電磁気の軌道エネルギー＝２×１０−６ｍ×６．５２８×１０−３７Ｊ÷軌道又はエネルギー＝１．３×１０−４２Ｊ・ｍ÷軌道又はエネルギー。２４．夜行性の動物は物質から放出されるどれ位の電磁気を受けるか。物質から放出される電磁気の軌道を５×１０−７ｍとする。５×１０−７ｍの電磁気のエネルギーは、１．３×１０−４２Ｊ・ｍ÷（５×１０−７ｍ）＝２．６×１０−３６Ｊ  です。物質から放出する電磁気の軌道を５×１０−７ｍとすると、夜行性の動物は２．６×１０−３６Ｊの電磁気を目に受ける。２５．物質から放出する磁気の光子の輪の束の軌道エネルギーの式が  ３．２６４×１０−４３Ｊ・ｍ÷軌道又はエネルギーであり、電気の光子の輪の束の軌道エネルギーの式��  ３．２６４×１０−４３Ｊ・ｍ÷軌道又はエネルギーであり、電磁気の輪の束の軌道エネルギーの式が  １．３×１０−４２Ｊ・ｍ÷軌道又はエネルギーである。この事は何を意味するのか。本発明者は特願２００４−２４７５７４において、Ｋ＝１．１２×１０９ｍであると記した。宇宙が走った距離について、本発明者は特願２００４−２０２４９６と２００４−２４７５７４に記した。ビッグバンから現代まで、宇宙の物質（＝素粒子）は、約２．７３９２×１０２５ｍ走り続けている。それで、エネルギーは、５Ｋで１／１０になるから、５×１．１２×１０９ｍ＝５．６×１０９ｍで１／１０に減少する。ビッグバンから今までどれ程減少したか。２．７３９２×１０２５ｍ÷（５．６×１０９ｍ）＝４．８９×１０１５  １÷（４．８９×１０１５×１０）＝２×１０−１７倍に減少している。ビッグバンの軌道エネルギーはラブの軌道エネルギーであるから、１０−２５Ｊ÷軌道又はエネルギーです。現在の軌道エネルギーはビッグバンのエネルギーの２×１０−１７倍であるから、２×１０−１７×１０−２５Ｊ・ｍ÷軌道又はエネルギー＝２×１０−４２Ｊ・ｍ÷軌道又はエネルギー  です。現在、物質から放出する磁気の光子の輪の束の軌道エネルギーの式が、３．２６４×１０−４３Ｊ・ｍ÷軌道又はエネルギー  であり、電気の光子の輪の束の軌道エネルギーの式が、３．２６４×１０４３Ｊ・ｍ÷軌道又はエネルギー  であり、電磁気の輪の束の軌道エネルギーの式が、１．３×１０−４２Ｊ・ｍ÷軌道又はエネルギー  である。これらのエネルギーはビッグバンのエネルギーの何倍か。磁気の光子の輪の束のエネルギーと、電気の光子の輪の束のエネルギーは、３．２６４×１０−４３Ｊ・ｍ÷１０−２５Ｊ・ｍ＝３．２６４×１０−１８倍です。電磁気の束のエネルギーは、１．３×１０−４２Ｊ・ｍ÷１０−２５Ｊ・ｍ＝１．３×１０−１７  倍です。この値は、本発明者がＫ＝１．１２×１０９ｍとして計算した、ビッグバンから今までエネルギーは２×１０−１７倍に減少している値とやや同じ値である。よって、物質から放出されている電磁気のエネルギーは、宇宙に於ける現在の時空のエネルギーである。万有引力は物質から放出されている磁気の光子のエネルギーであり、それは束になって放出されている。その束のエネルギーは宇宙に於ける現在の時空のエネルギーである。電子のラブから放出される電磁気の束のエネルギーは、宇宙の軌道が拡大するにしたがって減少している。２６．宇宙に於ける万有引力はどのようであるか。宇宙に於ける磁気の光子の輪の束の軌道エネルギーの式はどのようであるか。磁気の光子の輪の束の軌道エネルギーを“万有引力の軌道エネルギー”と名づける。地球に於ける万有引力の軌道エネルギーは、３．２６４×１０−４３Ｊ・ｍ÷軌道又はエネルギー  です。宇宙の軌道が小さいとき、電子のラブから放出される磁気の光子の輪の束のエネルギーは大きい。それで、万有引力も大きい。万有引力は素粒子が走った距離によって異なる。例えば、走った年数が１年の場合、走った距離は９．４６×１０１５ｍです。それで、エネルギーは地球のエネルギーの、９．４６×１０１５ｍ÷（５×１．１２×１０９ｍ）×１０＝１．６９×１０７倍です。それで、万有引力の軌道エネルギー���、３．２６４×１０−４３Ｊ・ｍ×１．６９×１０７÷軌道又はエネルギー＝５．５１６×１０−３６Ｊ・ｍ÷軌道又はエネルギー  です。宇宙の万有引力の軌道エネルギーを求める式は、現在の万有引力の式×走った距離÷（５×Ｋ）×１０＝３．２６４×１０−４３Ｊ・ｍ÷軌道又はエネルギー×走った距離÷（５×１．１２×１０９ｍ）×１０＝５．８２９×１０−５２×走った距離÷軌道又はエネルギー  です。１４０億年から１５０億年走ると、その距離は２．７３９２×１０２５ｍであるから、１４０億年から１５０億年前の時空の万有引力の軌道エネルギーの式は、３．２６４×１０−４３Ｊ・ｍ÷軌道又はエネルギー×２．７３９２×１０２５ｍ÷（５．６×１０９ｍ）×１０＝１．５９７×１０−２６Ｊ・ｍ÷軌道又はエネルギー  です。２７．宇宙に於ける万有引力の定数はどれ位か。宇宙において、５×１０２５個の原子でできる磁気の光子のエネルギーはどれ位か。万有引力定数は１Ｋｇで１ｍ間にできる磁気の光子のエネルギーの２乗ですから、まず１Ｋｇで１ｍにできる磁気の光子のエネルギーを求めます。例えば、１年走った場合、走った距離は９．４６×１０１５ｍですから、この時空のエネルギーは地球のエネルギーの、９．４６×１０１５ｍ÷（５．６×１０９ｍ）×１０＝１．６８９×１０７倍です。地球では、１Ｋｇで１ｍ間にできる磁気の光子のエネルギーは（６．６７３×１０−１１）１／２Ｊ＝８．１６８８×１０−６Ｊですから、地球から１光年の軌道の磁気の光子のエネルギーは、１．６８９×１０７倍×８．１６８８×１０−６Ｊ＝１．３７９×１０２Ｊ  です。万有引力定数はこの２乗ですから、（１．３７９×１０２）２＝１．９×１０４Ｎ・ｍ２／Ｋｇ２  です。宇宙における１Ｋｇ（＝５×１０２５個の原子）から放出する磁気の光子１ｍ間のエネルギーは、走った距離÷（５×Ｋ）×１０×８．１６８８×１０−６Ｊ＝走った距離÷（５×１．１２×１０９ｍ）×１０×８．１６８８×１０−６Ｊ＝走った距離×１．４５８７５×１０−１４Ｊ  です。万有引力定数は、（走った距離×１．４５８７５×１０−１４）２  Ｎ・ｍ２／Ｋｇ２です。１４０億年から１５０億年前の時空の磁気の光子のエネルギーは、２．７３９２×１０２５ｍ×１．４５８７５×１０−１４Ｊ＝４×１０１１Ｊ  です。万有引力定数は、（４×１０１１）２＝１．６×１０２３  Ｎ・ｍ２／Ｋｇ２です。次に地球からの軌道、走った距離、引力の軌道エネルギーの式、５×１０２５個の原子によってできる１ｍ間の磁気の光子のエネルギー、万有引力定数、ラブの軌道エネルギーの式を示す。ラブに軌道エネルギーの式は、１０−２５Ｊ×走った距離÷（５．６×１０９ｍ）×１０÷軌道又はエネルギー＝１．７８５７×１０−３４Ｊ×走った距離÷軌道又はエネルギー  です。2005269887.tif 000003
2005269887.tif 000004
なお、宇宙における電気の軌道エネルギーの式は、ラブの軌道エネルギーの式の１０−８倍ですから、１．７８５７×１０−４２Ｊ×走った距離÷軌道又はエネルギー  です。宇宙に於ける磁気の光子の軌道エネルギーの式は、ラブの軌道エネルギーの式の１０−１６倍ですから、１．７８５７×１０−５０Ｊ×走った距離÷軌道又はエネルギー  です。
【発明の効果】
【０００６】導線の中で、１個の電子のラブから１０８個の電気の光子ができることが解った。この電気の光子が電流である。導線から放出する磁気の光子の輪１個のエネルギーは２．６６５×１０−３８Ｊで、この磁気の光子の輪のエネルギーが力になっていることが解った。電気の光子の軌道エネルギーは、１０−３３Ｊ・ｍ÷軌道又はエネルギーである事が解った。物質から放出される電気の光子の輪１個のエネルギーは、６．４×１０−５０Ｊである事が解った。物質から放出される磁気の光子の輪１個のエネルギーは、６．４×１０−５８Ｊである事が解った。これらが束になって電磁気として放出される。よって、、導線から放出される磁気の光子の輪１個のエネルギーは物質から放出される磁気の光子の輪１個のエネルギーの、２．６６５×１０−３８Ｊ÷（６．４×１０−５８Ｊ）＝４．１６４×１０１９倍である事が解った。万有引力を作っているのはこの電磁気の中の磁気の光子のエネルギーである。物質から放出する磁気の光子の輪の束の軌道エネルギーの式は、万有引力の軌道エネルギーの式であり、３．２６４×１０−４３Ｊ・ｍ÷軌道又はエネルギー  である事が解った。物質から放出する電磁気の軌道エネルギーの式は、１．３×１０−４２Ｊ・ｍ÷軌道又はエネルギーである事が解った。この軌道エネルギーは、ビッグバンのエネルギーの１．３×１０−１７倍である。どうしてこのような電磁気が放出するか、どうして地球の万有引力係数が６．６７３×１０−１１Ｎ・ｍ２／Ｋｇ２であるかは、宇宙において地球の存在する電磁気の軌道エネルギーの式が、１．３×１０４２Ｊ・ｍ÷軌道又はエネルギー  で、これはビッグバンのエネルギーの１．３×１０−１７倍です。これは、光子は５．６×１０９ｍ走るとエネルギーは１／１０になるとして計算した２×１０−１７倍とほぼ等しい。宇宙が小さい時空では電磁気の軌道エネルギーは大きかった。それで、放出する電磁気のエネルギーは大きく、磁気の光子のエネルギーも大きく、万有引力も大きかった。それで、クエーサーができた。この事から、宇宙の軌道に於ける万有引力係数を知る事ができた。
【図面の簡単な説明】
【図１】電子のラブが自転することによって、磁気の光子ができる。電子のラブが公転する事によって、磁気の光子ができる。電気の光子の回転方向は、電子のラブの公転方向と反対方向である。磁気の光子の回転は、電気の光子の輪をクロス回転する。
【図２】導線の中を電子のラブが走る時、電子のラブは自転し、磁気の光子を作る。磁気の光子の輪は電子のラブの進行方向に垂直にでき右回転する。導線の中を電子のラブが走る時、１個の電子のラブから１０８個の電気の光子ができる。電気の光子は電子のラブと反対方向に走る。
【図３】左の導線と右の導線の電子のラブが同じ方向に走ると、左の導線の磁気の光子と右の導線の磁気の光子は同じ方向に回転する。
【図４】それで、左の導線から放出する磁気の光子と、右の導線から放出する磁気の光子は一緒になって回転する。この一緒になる作用が引く力になる
【図５】左の導線と右の導線の電子のラブが逆方向に走る場合は、磁気の光子の回転方向が反対方向ので、力は反対方向に作用する。
【図６】電子のラブの回転方向は地球の自転の方向であるから、全ての物質の原子の電子のラブは地球の自転方向に回転する。それで、全ての電気の光子は地球の自転の反対方向に回転する。全ての磁気の光子は電気の光子の輪に対し上から入り込みクロス回転する。物質からこの電気の光子と磁気の光子が電磁気になって放出する。
【図７】それで、電磁気として放出した時、全ての電気の光子は地球の自転の反対方向に回転し、全ての磁気の光子は電気の光子をクロス回転する。全ての磁気の光子の回転方向は同じである。よって、同じ方向に回転する磁気の光子の間に引力が生じる。
【図８】宇宙における走った距離とラブの軌道エネルギーの式と万有引力の軌道エネルギーの式と万有引力係数を示す。
【符号の説明】
１  電子のラブが自転する      ２  電子のラブの公転方向は地球の自転と同じ方向３  電気の光子の回転方向      ４  磁気の光子の回転方向      ５  導線６  電子のラブが走る方向      ７  電子の光子が走る方向＝電流８  左の導線      ９  右の導線      １０  一緒になって回転する１１  回転は反対なので、力は反対方向に作用する      １２  電磁波１３  全ての電気の光子の回転方向は同じであり、全ての磁気の光子の回転方向は同じであるので、一緒になって回転する。      １４  宇宙の軌道１５  電子のラブが自転する方向
【図１】
2005269887.tif 000005
【図２】
2005269887.tif 000006
【図３】
2005269887.tif 000007
【図４】
2005269887.tif 000008
【図５】
2005269887.tif 000009
【図６】
2005269887.tif 000010
【図７】
2005269887.tif 000011
【図８】
2005269887.tif 000012